(57)【特許請求の範囲】
【請求項１】
内部に被試験物が配置されると共に内部と外部とを連通する貫通孔が形成された試験槽を備え、前記試験槽内に配置された被試験物に対して、環境を変化させて試験を行う環境試験装置であって、
透明な外管及び前記外管の内周面との間に隙間が形成されるように前記外管内に配置された透明な内管で構成された二重管と、
前記外管と前記内管との間の隙間に気体を送り込む送風機と、
前記内管内に配置され、前記二重管を介して前記試験槽内を撮影する撮像素子を有するカメラと、
前記カメラを動かす移動機構と、からなるカメラユニットを備えており、
前記二重管が前記貫通孔に挿通されることを特徴とする環境試験装置。
【請求項２】
前記外管の外周面に配置された発熱体をさらに備えることを特徴とする請求項１に記載の環境試験装置。
【請求項３】
前記二重管が嵌め込まれる嵌入孔が形成されると共に、前記試験槽内が気密状態に保たれるように前記貫通孔に嵌め込まれる栓体をさらに備えることを特徴とする請求項１又は２に記載の環境試験装置。
【請求項４】
前記二重管は、一方の端部が閉鎖された筒状であると共に前記一方の端部が前記試験槽内に臨むように前記貫通孔に挿通され、
前記カメラは、前記二重管内の前記一方の端部に配置され、
前記移動機構は、前記撮像素子による撮影方向が変わるように前記カメラの向きを変更可能であることを特徴とする請求項１〜３のいずれか１項に記載の環境試験装置。
【請求項５】
前記試験槽内に反射鏡をさらに備え、
前記撮像素子は前記反射鏡を介して前記試験槽内を撮影することを特徴とする請求項１〜４のいずれか１項に記載の環境試験装置。
【請求項６】
前記貫通孔は、前記試験槽の壁の互いに対向する位置に形成された貫通孔を含んで少なくとも２つ形成され、
前記二重管の両端部が、対向する位置に形成された前記貫通孔にそれぞれ挿通され、
前記移動機構は、前記二重管の長手方向に沿って延びていると共に前記二重管内において、移動可能もしくは回転可能、又は、移動可能および回転可能に配置された取付部材を含んでおり、
前記カメラは、前記取付部材に固定されることを特徴とする請求項１〜５のいずれか１項に記載の環境試験装置。
【請求項７】
前記カメラが照明装置を有することを特徴とする請求項１〜６のいずれか１項に記載の環境試験装置。
【発明の詳細な説明】
【技術分野】
【０００１】
本発明は、被試験物の環境試験を行う環境試験装置に関する。
【背景技術】
【０００２】
従来から、電子機器等の被試験物を環境試験装置内の試験槽に収容し、被試験物に対して様々な環境下で試験行う環境試験が行われている。ここで、様々な環境とは、所望の温度及び湿度の環境であって、例えば、高温や低温、高湿や低湿の環境である。そして、環境試験装置の環境を変えることなく、環境試験が行われている被試験物の挙動を観察するために、環境試験装置の扉に設けられた観察窓を介してカメラで撮影したり、カメラや工業用内視鏡を試験槽内に差し込んで被試験物を撮影したりしている（特許文献１参照）。
【０００３】
しかしながら、扉に設けられた観察窓を介してカメラで撮影する場合は、扉にカメラ固定用治具を設置し、良好な映像を得るために反射を防止する暗箱によりカメラと観察窓全体を覆う必要があった。そのため、カメラ固定用治具や暗箱を固定するため、扉を改造しなくてはならなかった。また、カメラ固定用治具や暗箱が扉に固定されているため、容易に扉の開閉ができなくなるという問題がある。更に、観察窓を介してカメラで撮影するため、撮影可能な範囲が定まってしまい、様々な角度から被試験物の挙動を観測することができないという問題がある。
【０００４】
また、カメラや工業用内視鏡を試験槽内に差し込んで被試験物を撮影する場合は、カメラや工業用内視鏡で試験槽内を撮影できるように、環境試験装置に差し込む孔を形成したり、カメラや工業用内視鏡に改造を施したりするため、専用品となってしまい、汎用性に欠け、他の環境試験装置に流用できないという問題がある。また、環境試験装置では、試験槽内において様々な環境で環境試験が行われるため、試験槽内に差し込まれるカメラや工業用内視鏡に対して、試験槽内の環境への対策（例えば、熱対策や結露・凍結を防止する対策）を講じる必要がある。
【先行技術文献】
【特許文献】
【０００５】
【特許文献１】実開平６−４３５５２号公報
【発明の開示】
【発明が解決しようとする課題】
【０００６】
そこで、一般的な環境試験装置に対して汎用性があり、試験槽内の環境への対策を講じつつ、広い撮影可能範囲を備えるカメラユニットを備える環境試験装置を提供するものである。
【課題を解決するための手段】
【０００７】
本発明に係る環境試験装置は、内部に被試験物が配置されると共に内部と外部とを連通する貫通孔が形成された試験槽を備え、前記試験槽内に配置された被試験物に対して、環境を変化させて試験を行う環境試験装置であって、透明な外管及び前記外管の内周面との間に隙間が形成されるように前記外管内に配置された透明な内管で構成された二重管と、前記外管と前記内管との間の隙間に気体を送り込む送風機と、前記内管内に配置され、前記二重管を介して前記試験槽内を撮影する撮像素子を有するカメラと、前記カメラを動かす移動機構と、からなるカメラユニットを備えており、前記二重管が前記貫通孔に挿通されることを特徴とする。
【０００８】
本発明に係る環境試験装置によると、一般的な環境試験装置に設けられている配線を試験槽内に引き込むための貫通孔に二重管を挿通することで、試験槽の構成を従来のものから変更することなくカメラユニットを取り付けることができ、汎用性を有する。また、移動機構でカメラを動かすことで、試験槽内の広い範囲を撮影することができる。さらに、送風機で外管と内管との隙間に外気を送り込むことで、試験槽内の温度に応じて内管内の温度が変化することを防止して、カメラの動作に影響を及ぼすのを抑制し、良好な映像を得ることができる。そして、カメラユニットをコンピュータやビデオに接続することにより、容易に試験槽内の被試験物の常時観察や静止画像撮影・動画撮影・インターバル撮影等が可能になる。
【０００９】
上記環境試験装置において、前記外管の外周面に配置された発熱体をさらに備えることが好ましい。
これにより、試験槽内の温度及び湿度により、外管が結露したり凍結したりすることを防止することができる。即ち、試験槽内の温度と二重管内との温度差により、外管近傍における空気が冷却されて外管の内周面や外周面に結露や凍結が生じてしまう。そこで、外管の外周面に配置された発熱体が発熱することにより、外管に結露や凍結が生じるのを防止することができる。
【００１０】
上記環境試験装置において、前記二重管が嵌め込まれる嵌入孔が形成されると共に、前記試験槽内が気密状態に保たれるように前記貫通孔に嵌め込まれる栓体をさらに備えることが好ましい。
これにより、カメラユニットが栓体により保持されると共に、貫通孔への脱着を容易に行うことができる。また、環境試験装置の試験槽内に外部の空気が入り込まないことから、試験槽の気密性を保つことができ、環境試験装置における環境試験を正確に行うことができる。
【００１１】
上記環境試験装置において、前記二重管は、一方の端部が閉鎖された筒状であると共に前記一方の端部が前記試験槽内に臨むように前記貫通孔に挿通され、前記カメラは、前記二重管内の前記一方の端部に配置され、前記移動機構は、前記撮像素子による撮影方向が変わるように前記カメラの向きを変更可能であることが好ましい。
これにより、貫通孔を１つ以上有する環境試験装置に対応することができる。また、撮像素子による撮影方向が変わるようにカメラを移動機構で動かすことで、試験槽内の広い範囲を撮影することができる。
【００１２】
上記環境試験装置において、前記試験槽内に反射鏡をさらに備え、前記撮像素子は前記反射鏡を介して前記試験槽内を撮影する構成として良い。
これにより、反射鏡を介して、カメラユニットから死角となる範囲を撮影することができ、撮影範囲を広げることができる。
【００１３】
上記環境試験装置において、前記貫通孔は、前記試験槽の壁の互いに対向する位置に形成された貫通孔を含んで少なくとも２つ形成され、前記二重管の両端部が、対向する位置に形成された前記貫通孔にそれぞれ挿通され、前記移動機構は、前記二重管の長手方向に沿って延びていると共に前記二重管内において、移動可能もしくは回転可能、又は、移動可能および回転可能に配置された取付部材を含んでおり、前記カメラは、前記取付部材に固定されることが好ましい。
これにより、試験槽の対向する壁にそれぞれ設けられた対向する貫通孔に挿通した二重管内で、取付部材を介して、カメラが長手方向に移動可能、又は／及び、二重管の周方向に回転可能となり、試験槽内の全体を撮影することができる。
【００１４】
上記環境試験装置において、前記カメラが照明装置を有することが好ましい。
これにより、試験槽内を照明装置で照射して、カメラで明瞭に撮影することができる。
【図面の簡単な説明】
【００１５】
【図１】貫通孔を有する一般的な環境試験装置の一例を示す概略斜視図であり、（ａ）は扉部材を閉鎖した状態であり、（ｂ）は扉部材を開放した状態である。
【図２】第一の実施形態に係るカメラユニットを示す断面図である。
【図３】図２に示すカメラユニットを環境試験装置の貫通孔に挿通する状態を示す断面図である。
【図４】図２に示すカメラユニットを環境試験装置の貫通孔に挿通して、反射鏡を介して撮影する状態を示す断面図である。
【図５】第二の実施形態に係るカメラユニットを環境試験装置の貫通孔に挿通した状態を示す断面図である。
【発明を実施するための形態】
【００１６】
以下、図面を参照しつつ、本発明に係る環境試験装置を実施するための形態について、具体的な一例に即して説明する。尚、以下に説明するものは、例示したものにすぎず、本発明に係る環境試験装置の適用限界を示すものではない。すなわち、本発明に係る環境試験装置は、下記の実施形態に限定されるものではなく、特許請求の範囲に記載した限りにおいてさまざまな変更が可能なものである。
【００１７】
まず、貫通孔を有する一般的な環境試験装置の一例について、図１に基づいて説明する。
【００１８】
図１に示すように、一般的な環境試験装置１は、所定の温度及び所定の湿度において環境試験を行う試験槽３と、試験槽３に被試験物を出し入れする扉部材２を備える。試験槽３は断熱材でできた壁によって覆われている。環境試験装置１は、図示しない冷却器、加熱ヒータ、加湿装置及び送風機等を備えており、試験槽３内を様々な環境にすることができる。
【００１９】
そして、環境試験装置１には、試験槽３内に設置された各種センサーと試験槽３の外に設置された測定機器等と接続する配線（ケーブル）を通すために、試験槽３の対向する両側壁４ａ，４ｂに試験槽３の内部と外部を連通するための円柱状の貫通孔５ａ，５ｂが対向して形成されている。
【００２０】
尚、図１に示す環境試験装置１では、２つの貫通孔５ａ，５ｂが試験槽３の両側壁４ａ，４ｂに設けられているが、それに限らず、一方の壁に１つだけ貫通孔が設けられていても良い。また、図１に示す環境試験装置１では、２つの貫通孔５ａ，５ｂが試験槽３の両側壁４ａ，４ｂに対向して設けられているが、それに限らず、対向していない壁に２つあるいは２つ以上設けられていても良い。
【００２１】
次に、第一の実施形態に係るカメラユニットについて、図２〜４に基づいて説明する。
【００２２】
図２に示すように、カメラユニット１０は、外管１２と内管１３とからなる二重管１１と、送風機１４と、カメラ１５と、移動機構１７と、発熱体１８を備える。
【００２３】
二重管１１を構成する外管１２と内管１３は、耐熱性、透明性に優れた樹脂（例えば、ポリカーボネート）で形成される。外管１２及び内管１３は、それぞれ、円筒部材の一方の端部が半球形状の部材で閉鎖された筒状となるように形成される。尚、外管１２及び内管１３の素材は、耐熱性、透明性があれば、何の素材でもよく、ガラスであっても良い。
【００２４】
二重管１１は、外管１２に、外管１２の内周面との間に隙間が形成されるように内管１３が配置される。二重管１１には、外管１２及び内管１３に当接して隙間を維持すると共に、後述する送風機１４から送られた空気が通る空気流路を形成するように、図示しない支持部材が形成される。支持部材は、所望する隙間の幅と同等の厚さで、後述するカメラ１５による撮影の撮影範囲に含まれないように形成されることが好ましい。例えば、支持部材は、外管１２及び内管１３において、二重管１１の長手方向に沿って所定間隔で円筒部材のみに形成される。
【００２５】
外管１２と内管１３とで形成される隙間の端部には送風機１４が備えられ、送風機１４から空気が、隙間に形成された空気流路の入口に送られ、空気流路の途中において試験槽３から伝わる熱と熱交換されて、空気流路の出口から放出される。ここで、送風機１４により形成される空気流の速度は、試験槽３内の温度によって変化させることが好ましい。即ち、試験槽３内の温度と外の温度との差の大きさに応じて、送風機１４により形成される空気流の速度を変化させることが好ましい。また、試験槽３内の温度によっては、送風機１４により常に空気を送る必要はない。尚、空気は、カメラ１５の保護ができる温度の空気であれば、試験槽３外の常温の空気であっても良いし、常温の空気でなくても良い。また、送風機１４は、空気以外の気体を流しても良い。送風機１４で外管１２と内管１３との隙間に外気を送り込むことで、試験槽３内の温度に応じて内管１３内の温度が変化することを防止して、後述するカメラ１５の動作に影響を及ぼすのを抑制し、良好な映像を得ることができる。また、送風機１４による送風により、外管１２や内管１３に結露が生じないようにしても良い。
【００２６】
カメラ１５は、撮像素子１５ａと照明装置１６とを備え、内管１３内の閉鎖された一方の端部に配置され、二重管１１を介して試験槽３内を撮影する。図２の本実施形態では、カメラ１５は、内管１３内の閉鎖された一方の端部側を欠く半球状の台座１５ｂに撮像素子１５ａと照明装置１６とが固定されて配置される。撮像素子１５ａは、光を電気信号として蓄える素子であり、ＣＣＤ素子等が用いられる。照明装置１６は、撮像素子１５ａの両側に配置されて、撮像素子１５ａで撮影する被試験物に光を照射する装置であり、ＬＥＤライト等が用いられる。尚、照明装置１６は、撮像素子１５ａの両側に配置しなくても良く、３つ以上設けても良い。更に、照明装置１６は、カメラ１５の台座１５ｂにではなく、別途設けても良い。これにより、試験槽３内を照明装置１６で照射して、カメラ１５で明瞭に撮影することができる。
【００２７】
移動機構１７は、棒状部材１７ａと、棒状部材のカメラ１５側の一方の端部に接続されたヒンジ部１７ｂとを備える。移動機構１７の棒状部材１７ａの他方の端部は、二重管１１の外部まで延在するように構成される。移動機構１７のヒンジ部１７ｂは、カメラ１５の台座１５ｂにも固定される。移動機構１７は、棒状部材１７ａの他方の端部を操作して二重管１１の径方向（図２中の矢印方向）に移動させることにより、カメラ１５がヒンジ部１７ｂを介して回転可能に構成される。移動機構１７を操作することにより、カメラ１５の撮像素子１５ａが、図２に示す矢印方向に回動し、様々な角度から被試験物を撮影することができ、試験槽３内の広い範囲を撮影することができる。尚、移動機構１７は、図２の実施形態の構成に限られず、カメラ１５の向きを変更することができれば、どのような構成であっても良い。
【００２８】
発熱体１８は、例えば、コードヒータであり、外管１２の外周面に沿って配置される。発熱体１８は、試験槽３内の環境に応じて通電され、試験槽３内の温度及び湿度により、外管１２に結露・凍結が生じることを防止する。即ち、試験槽３内の温度と二重管１１内との温度差により、外管１２近傍における空気が冷却されて外管１２の内周面や外周面に結露や凍結が生じてしまう。そこで、外管１２の外周面に配置された発熱体１８に通電して、外管１２が露点温度以下にならないように加熱することにより、外管１２に結露や凍結が生じるのを防止することができる。ここで、露点温度とは、水蒸気を含む空気を冷却したとき、凝結が始まる温度を示し、気温が０℃以下の場合は、凝結した水がさらに凝固するか、水蒸気から直接昇華するかのどちらかで氷へと変化する温度、つまり霜を生じる温度を示す。尚、発熱体１８は、備えられていなくても良い。
【００２９】
また、環境試験装置１には、図３に示すように、栓体３０が設けられる。栓体３０は、脱着を容易に行うことができるシリコンゴム等の弾性体で形成されて、試験槽３内が気密状態に保たるように試験槽３の壁４ａ，４ｂに設けられた貫通孔５ａ，５ｂのいずれかに嵌め込まれる。
【００３０】
栓体３０は、貫通孔５ａ，５ｂのサイズに合わせて形成される。例えば、栓体３０は、試験槽３の内部側が貫通孔５ａ，５ｂと同じ径を有し、試験槽３の外部側に至るに従い径が次第に大きくなるようにテーパ円柱状で形成される。また、栓体３０の試験槽３の外部側に置かれる部分にフランジが設けられ、栓体３０は、フランジが壁４ａ，４ｂと当接することにより、貫通孔５ａ，５ｂに係止される。これにより、栓体３０が貫通孔５ａ，５ｂに密着して挿通されて、気密性を高めることができる。尚、栓体３０は、図３に示す形状に限らず、貫通孔５ａ，５ｂに密着して挿通できるものであれば、どのような形状であっても良い。また、栓体３０は、断熱性を有する材料で形成される。
【００３１】
また、栓体３０には、カメラユニット１０の二重管１１が嵌め込まれる嵌入孔３１が形成される。嵌入孔３１は、二重管１１と同じ形状か若干小さめの形状で形成される。栓体３０には、二重管１１が嵌入孔３１に圧入されて挿通され、二重管１１を保持することができる。尚、嵌入孔３１は、切り込みであっても良く、二重管１１を挟み込むようにしても良い。
【００３２】
以上により、一般的な環境試験装置１に設けられている配線を試験槽３内に引き込むための貫通孔５ａ，５ｂに二重管１１を挿通することで、試験槽３の構成を従来のものから変更することなくカメラユニット１０を取り付けることができ、汎用性を有する。また、試験槽３内に外部の空気が入り込まないことから、試験槽３内と外部の空気とが断熱され、試験槽３の気密性を保つことができ、環境試験装置１における環境試験を正確に行うことができる。
【００３３】
ここで、図３の例では、栓体３０に二重管１１のみが嵌め込まれる嵌入孔３１が設けられているが、それに限らない。即ち、栓体３０が、嵌入孔３１の他にケーブルを連通させるための切り込みを更に設けて、二重管１１とケーブルの双方を連通させるように構成しても良い。または、栓体３０が、嵌入孔３１に二重管１１とケーブルの双方を連通させるものであっても良い。
【００３４】
また、図４に示すように、環境試験装置１の試験槽３の天井には、反射鏡８が、鉛直方向に対して所定の角度で吊り下げられて設置されていても良い。所定の角度とは、貫通孔５ａ，５ｂのいずれかに挿通されたカメラユニット１０に対して所望の撮影範囲が映るように予め調整される。これにより、反射鏡８を介して、カメラユニット１０から死角となる範囲を撮影することができ、撮影範囲を広げることができる。尚、反射鏡８は、天井から吊り下げて設置されるものでなくても良く、任意の場所に設置することができる。
【００３５】
次に、第二の実施形態に係るカメラユニットについて、図５に基づいて説明する。
【００３６】
図５に示すように、カメラユニット２０は、外管２２と内管２３とからなる二重管２１と、送風機２４と、カメラ２５と、移動機構２７を備える。
【００３７】
二重管２１を構成する外管２２と内管２３は、第一の実施形態に係るカメラユニット１０と同様に、耐熱性、透明性に優れた樹脂（例えば、ポリカーボネート）で形成される。外管２２及び内管２３は、それぞれ、円筒部材であって、両端部が開放された筒状となるように形成される。尚、外管２２及び内管２３の素材は、耐熱性、透明性があれば、他の素材であっても良く、ガラスであっても良い。
【００３８】
二重管２１は、外管２２に、外管２２の内周面との間に隙間が形成されるように内管２３が配置される。二重管２１には、外管２２及び内管２３に当接して隙間を維持する図示しない支持部材が形成される。支持部材は、所望する隙間の幅と同等の厚さで、外管２２及び内管２２において、後述するカメラ２５による撮影の撮影範囲に含まれない位置に形成されることが好ましい。例えば、支持部材は、外管２２と内管２３とで形成される隙間の両端部に後述する送風機２４から送られる空気流路が確保できる程度に形成される。
【００３９】
外管２２と内管２３とで形成される隙間の一方の端部には送風機２４が備えられ、送風機２４から空気が、隙間に形成された空気流路に送られ、空気流路の途中において試験槽３から伝わる熱と熱交換されて、外管２２と内管２３とで形成される隙間の他方の端部から放出される。ここで、送風機２４により形成される空気流の速度は、試験槽３内の温度によって変化させることが好ましい。即ち、試験槽３内の温度と外の温度との差の大きさに応じて、送風機２４により形成される空気流の速度を変化させることが好ましい。また、試験槽３内の温度によっては、送風機２４により常に空気を送る必要はない。尚、空気は、カメラ２５の保護ができる温度の空気であれば、試験槽３外の常温の空気であっても良いし、常温の空気でなくても良い。また、送風機２４は、空気以外の気体を流しても良い。送風機２４で外管２２と内管２３との隙間に外気を送り込むことで、試験槽３内の温度に応じて内管２３内の温度が変化することを防止して、後述するカメラ２５の動作に影響を及ぼすのを抑制し、良好な映像を得ることができる。また、送風機２４による送風により、外管２２や内管２３に結露が生じないようにしても良い。
【００４０】
尚、図示していないが、試験槽３内の温度及び湿度により、外管１１が結露したり凍結したりすることを防止するため、外管２２の外周面にコードヒータ等の発熱体を配置しても良い。
【００４１】
カメラ２５は、撮像素子２５ａと撮像素子２５ａの両側に設けられた２つの照明装置２６とを備え、内管２３内に配置された後述する取付部材（例えば、スライドレール）である移動機構２７に取り付けられ、二重管２１を介して試験槽３内を撮影する。カメラ２５は、移動機構２７の略中央に設置される。移動機構２７がスライドレールである場合、撮像素子２５ａと照明装置２６は、スライドレールの溝にローレットビス等の固定手段により締め付けて固定される。撮像素子２５ａは、光を電気信号として蓄える素子であり、ＣＣＤ素子等が用いられる。尚、移動機構２７におけるカメラ２５の設置位置は略中央に限らず、被試験物を撮影することができる所望の位置に設置して良い。照明装置２６は、撮像素子２５ａの両側に２つ配置されて、撮像素子２５ａで撮影する被試験物に光を照射する装置であり、ＬＥＤライト等が用いられる。これにより、試験槽３内を照明装置２６で照射して、カメラ２５で明瞭に撮影することができる。尚、図５に示す本実施形態では、照明装置２６は２つ配置されているが、それに限らず、１つのみ配置されるものであって良く、３つ以上配置されるものであっても良い。更に、照明装置２６は、カメラ２５の移動機構２７にではなく、別途設けても良い。
【００４２】
移動機構２７は、スライドレール等の取付部材で形成される。移動機構２７は、二重管２１の外部まで延在するように、二重管２１よりも長く構成されると共に、内管２３の中心を軸に回転するように、内管２３の内径に近い幅で構成される。移動機構２７は、端部を操作して、カメラ２５を内管２３内で軸方向（長手方向）に移動（スライド）させると共に、カメラ２５を内管２３内で周方向に移動（回転）させることができるように構成される。移動機構２７を操作することにより、カメラ２５の撮像素子２５ａが、図５に示す矢印方向にスライドおよび回転し、様々な位置及び様々な角度から被試験物を撮影することができ、試験槽３内全体の広い範囲を撮影することができる。尚、移動機構２７は、図２の実施形態の構成に限られず、カメラ２５を二重管２１内で軸方向及び周方向に動かせることができれば、どのような構成であっても良い。また、移動機構２７に、複数のカメラ２５が取り付けられていても良い。ここで、複数のカメラ２５を取り付ける場合、カメラの向きが別々でも良い。また、移動機構２７は、周方向のみや軸方向のみで移動させることができるものであっても良い。更に、移動機構２７である取付部材は、板状やフィルム状のものであって良い。
【００４３】
また、二重管２１は、試験槽３の壁４ａ，４ｂに設けられた貫通孔５ａ，５ｂの一方から他方に亘って、それぞれに挿通される。ここで、貫通孔５ａ，５ｂには、断熱性を有するシリコンゴム等の弾性体で形成された栓体３０（図３参照）が嵌め込まれ、試験槽３内が気密状態に保たれる。栓体３０には、カメラユニット２０の二重管２１が嵌め込まれる嵌入孔３１が形成される。嵌入孔３１は、二重管２１と同じ形状か若干小さめの形状で形成される。栓体３０には、二重管２１が嵌入孔３１に圧入されて挿通され、二重管２１を保持することができる。尚、嵌入孔３１は、切り込みであっても良く、二重管２１を挟み込むようにしても良い。尚、その他の栓体３０の構成は上述の通りであり、説明を省略する。
【００４４】
以上により、一般的な環境試験装置１に設けられている配線を試験槽３内に引き込むための貫通孔５ａ，５ｂに二重管２１を挿通することで、試験槽３の構成を従来のものから変更することなくカメラユニット２０を取り付けることができ、汎用性を有する。また、試験槽３内に外部の空気が入り込まないことから、試験槽３の気密性を保つことができ、試験槽３内と外部の空気とが断熱され、環境試験装置１における環境試験を正確に行うことができる。
【００４５】
ここで、図５の例では、栓体３０に二重管２１のみが嵌め込まれる嵌入孔３１が設けられているが、それに限らない。即ち、栓体３０が、嵌入孔３１の他にケーブルを連通させるための切り込みを更に設けて、二重管２１とケーブルの双方を連通させるように構成しても良い。または、栓体３０が、二重管２１とケーブルの双方を嵌入孔３１に連通させるものであっても良い。更に、図５に示す第二の実施形態に係るカメラユニット２０に対して、試験槽３内に反射鏡を設置しても良い。
【００４６】
尚、環境試験装置１に対して、第一の実施形態に係るカメラユニット１０及び第二の実施形態に係るカメラユニット２０をそれぞれ複数配置しても良く、更に、第一の実施形態に係るカメラユニット１０及び第二の実施形態に係るカメラユニット２０を混在させて配置しても良い。
【符号の説明】
【００４７】
１    環境試験装置
３    試験槽
５ａ，５ｂ  貫通孔
１０，２０  カメラユニット
１１，２１  二重管
１２，２２  外管
１３，２３  内管
１５，２５  カメラ
１５ａ，２５ａ  撮像素子
１６，２６  照明装置
１７，２７  移動機構
１８  発熱体
３０  栓体
３１  嵌入孔
【図１】
0005865879.tif 000002
【図２】
0005865879.tif 000003
【図３】
0005865879.tif 000004
【図４】
0005865879.tif 000005
【図５】
0005865879.tif 000006